(57)【要約】【課題】電磁場治療装置の提供。【解決手段】電磁場治療装置は、基準周波数発生回路、信号処理器、周波数表示回路と電磁変換回路を包含し、さらに手自動電子変換スイッチ、周波数微調整器と周波数調製回路を包含し、該手自動電子変換スイッチがオフのとき、該信号処理器が該基準周波数発生回路の出力する基準周波数に基づき治療周波数信号を自動調製し、該手自動電子変換スイッチがオンのとき、該信号処理器が該周波数微調整器の出力する微調整周波数に基づき、該基準周波数発生回路の出力する基準周波数より治療周波数信号を調製し、該治療周波数信号を一方で該電磁変換回路を通して人体の治療用の電磁場発生器に出力し、また一方で該周波数表示回路を通して出力表示する。【選択図】図１
0003136442.tif 000002
【実用新案登録請求の範囲】
【請求項１】
電磁場治療装置において、該電磁場治療装置は基準周波数発生回路、信号処理器、周波数表示回路と電磁変換回路（２）で構成され、該信号処理器は該基準周波数発生回路の出力する基準周波数に基づき治療周波数信号を自動調製した後、一方で該電磁変換回路を通して人体磁気治療を行なう電磁場発生器（３）に出力し、また一方で該周波数表示回路を通して出力、表示することを特徴とする、電磁場治療装置。
【請求項２】
請求項１記載の電磁場治療装置において、該治療周波数信号は１から１０００Ｈｚとされることを特徴とする、電磁場治療装置。
【請求項３】
請求項１記載の電磁場治療装置において、該電磁変換回路（２）は信号増幅器、電磁変換器及び電磁増幅器で構成されることを特徴とする、電磁場治療装置。
【請求項４】
請求項１記載の電磁場治療装置において、該電磁場治療装置は更に治療定時回路（１）を包含し、該治療定時回路（１）は定時タイマ、レベル変換器、信号変換器、パワー増幅器及びブザーで構成されることを特徴とする、電磁場治療装置。
【請求項５】
請求項１乃至４のいずれかに記載の電磁場治療装置において、該電磁場治療装置は更に手自動電子変換スイッチ、周波数微調整器及び周波数調製回路を包含し、該手自動電子変換スイッチがオンのとき、該信号処理器が該周波数微調整器の出力する微調整周波数に基づき、該基準周波数発生回路の出力する基準周波数より治療周波数信号を調製し、該治療周波数信号を一方で該電磁変換回路を通して人体の治療用の電磁場発生器（３）に出力し、また一方で該周波数表示回路を通して保存、復号、駆動後に出力、表示することを特徴とする、電磁場治療装置。
【請求項６】
請求項５記載の電磁場治療装置において、該周波数調製回路が波形切換制御ユニットと比例切換制御ユニットを包含することを特徴とする、電磁場治療装置。
【考案の詳細な説明】
【技術分野】
【０００１】
本考案は治療用機器に係り、特に、電磁場を人体外部より作用させる電磁場治療装置に関する。
【背景技術】
【０００２】
人類は人が造ったレーダー周波数、ラジオ局、テレビ局、携帯電話信号及び全ての電気設備と電子装置の発生する周波数下に晒され、さらに人は地球の磁気と天気の影響を受ける。多くの人が天気、例えば雷雨や風の人体の健康に対する影響を受け、このような自然の気候の条件下で、地球の磁気の影響は人に不安を感じさせ、その結果、周期的な頭痛や不調に悩まされることがある。しかし、マイクロ電子を利用してこれらの信号と電磁特性移動過程を模倣し、並びにこの技術を利用して身体の健康を促進でき、特殊な磁場作用下でこのような影響を緩和及び解消することができる。
【考案の開示】
【考案が解決しようとする課題】
【０００３】
本考案は一種の電磁場治療装置を提供し、それは電磁場を人体に作用させて人体に対する電磁場による悪影響を緩和及び解消できるものとする。
【課題を解決するための手段】
【０００４】
請求項１の考案は、電磁場治療装置において、該電磁場治療装置は基準周波数発生回路、信号処理器、周波数表示回路と電磁変換回路（２）で構成され、該信号処理器は該基準周波数発生回路の出力する基準周波数に基づき治療周波数信号を自動調製した後、一方で該電磁変換回路を通して人体磁気治療を行なう電磁場発生器（３）に出力し、また一方で該周波数表示回路を通して出力、表示することを特徴とする、電磁場治療装置としている。
請求項２の考案は、請求項１記載の電磁場治療装置において、該治療周波数信号は１から１０００Ｈｚとされることを特徴とする、電磁場治療装置としている。
請求項３の考案は、請求項１記載の電磁場治療装置において、該電磁変換回路（２）は信号増幅器、電磁変換器及び電磁増幅器で構成されることを特徴とする、電磁場治療装置としている。
請求項４の考案は、請求項１記載の電磁場治療装置において、該電磁場治療装置は更に治療定時回路（１）を包含し、該治療定時回路（１）は定時タイマ、レベル変換器、信号変換器、パワー増幅器及びブザーで構成されることを特徴とする、電磁場治療装置としている。
請求項５の考案は、請求項１乃至４のいずれかに記載の電磁場治療装置において、該電磁場治療装置は更に手自動電子変換スイッチ、周波数微調整器及び周波数調製回路を包含し、該手自動電子変換スイッチがオンのとき、該信号処理器が該周波数微調整器の出力する微調整周波数に基づき、該基準周波数発生回路の出力する基準周波数より治療周波数信号を調製し、該治療周波数信号を一方で該電磁変換回路を通して人体の治療用の電磁場発生器（３）に出力し、また一方で該周波数表示回路を通して保存、復号、駆動後に出力、表示することを特徴とする、電磁場治療装置としている。
請求項６の考案は、請求項５記載の電磁場治療装置において、該周波数調製回路が波形切換制御ユニットと比例切換制御ユニットを包含することを特徴とする、電磁場治療装置としている。
【考案の効果】
【０００５】
本考案の電磁場治療装置は電磁場を人体に作用させて人体に対する電磁場による悪影響を緩和及び解消できる。
【考案を実施するための最良の形態】
【０００６】
本考案の電磁場治療装置は、基準周波数発生回路、信号処理器、周波数表示回路と電磁変換回路で構成され、該信号処理器は該基準周波数発生回路の出力する基準周波数に基づき治療周波数信号を自動調製した後、一方で該電磁変換回路を通して人体磁気治療を行なう電磁場発生器に出力し、また一方で該周波数表示回路を通して出力、表示する。
【０００７】
本考案を更に改良するため、該治療周波数信号は１から１０００Ｈｚとされる。
【０００８】
本考案を更に改良するため、該電磁変換回路は信号増幅器、電磁変換器及び電磁増幅器で構成される。
【０００９】
本考案を更に改良するため、該電磁場治療装置は更に治療定時回路を包含し、該治療定時回路は定時タイマ、レベル変換器、信号変換器、パワー増幅器及びブザーで構成され、使用者の磁気治療操作に便利とされる。
【実施例１】
【００１０】
本考案の電磁場治療装置は、基準周波数発生回路、信号処理器、周波数表示回路と電磁変換回路２で構成され、さらに手自動電子変換スイッチ、周波数微調整器及び周波数調製回路を包含し、該手自動電子変換スイッチがオフのとき、該信号処理器が該基準周波数発生回路の出力する基準周波数に基づき治療周波数信号を自動調製し、該手自動電子変換スイッチがオンのとき、該信号処理器が該周波数微調整器の出力する微調整周波数に基づき、該基準周波数発生回路の出力する基準周波数より治療周波数信号を調製し、該治療周波数信号を一方で該電磁変換回路を通して人体の治療用の電磁場発生器３に出力し、また一方で該周波数表示回路を通して保存、復号、駆動後に出力、表示する。このとき該治療周波数信号は１から１０００Ｈｚとされ、該電磁場発生器はハンドル、ケーブル線で構成された磁場コイルとされる。
【００１１】
該電磁変換回路２は信号増幅器、電磁変換器及び電磁増幅器で構成され、該電磁場治療装置は更に治療定時回路１を包含し、該治療定時回路１は定時タイマ、レベル変換器、信号変換器、パワー増幅器及びブザーで構成され、こうして作業時間を知らせることができる。
【００１２】
該手自動電子変換スイッチがオンとされるとき、該信号処理器は該基準周波数発生回路の出力する基準周波数に基づき治療周波数信号を自動調製し、一方で該電磁変換回路を通して人体の治療用の電磁場発生器３に出力し、また一方で該周波数表示回路を通して出力、表示する。このとき該治療周波数信号は１から１０００Ｈｚとされ、該周波数調製回路は波形切換制御ユニットと比例切換制御ユニットを包含する。
【００１３】
該電磁場治療装置はさらに電源変圧器と整流ろ波器回路で構成されて高電圧を低電圧に変換する変圧回路を具え、電池に対する充電時の保護となし、ニッケル軽電池より電源スイッチのローパワー昇圧変換チップ、電圧安定ろ波回路を通し、さらに各チップに対して安定した電源を提供する。
【図面の簡単な説明】
【００１４】
【図１】本考案の第１種の実施例の電気回路原理ブロック構造図である。
【符号の説明】
【００１５】
１  治療定時回路
２  電磁変換回路
３  電磁場発生器
【図１】
0003136442.tif 000003